(57)【特許請求の範囲】
【請求項１】
映画フィルムから再生されるオーディオ信号を処理する信号処理装置において、
前記映画フィルムは、
第１のディジタルオーディオ信号が記録された第１のディジタルサウンドトラックと、前記第１のディジタルオーディオ信号とはチャンネル数が異なる第２のディジタルオーディオ信号が記録された第２のディジタルサウンドトラックと、アナログオーディオ信号が記録されたアナログサウンドトラックとを有し、
前記信号処理装置は、
前記映画フィルムから再生される前記第１のディジタルオーディオ信号、前記第２のディジタルオーディオ信号、前記アナログオーディオ信号について、優先順位の設定を受け付ける優先順位設定手段と、
前記優先順位に従って、前記複数のオーディオ信号より１系統のオーディオ信号を選択して出力する選択手段とを有し、
前記選択手段で選択されたオーディオ信号をアンプに出力してスピーカを駆動し、
前記選択手段は、
前記ディジタルオーディオ信号のエラーの通知に応動して、前記優先順位に従って、前記オーディオ信号の選択を切り換える
信号処理装置。
【請求項２】
少なくとも前記第１及び第２のディジタルオーディオ信号の１系統については、前記映画フィルムから前記第１又は第２のディジタルオーディオ信号を再生する再生手段と、
前記再生手段によるディジタルオーディオ信号よりエラーを検出して前記選択手段に通知するエラー検出手段とを備える
請求項１に記載の信号処理装置。
【請求項３】
前記選択手段は、
所定の遷移時間において滑らかに信号レベルを変化させて、前記オーディオ信号の選択を切り換える
請求項１に記載の信号処理装置。
【請求項４】
前記選択手段は、
優先順位の低い側に前記オーディオ信号の選択を切り換えると、優先順位の高い側のオーディオ信号において、所定時間以上エラーが検出されない場合に、該優先順位の高い側のオーディオ信号に出力を切り換える
請求項１に記載の信号処理装置。
【請求項５】
映画フィルムから再生されるオーディオ信号を処理する信号処理方法において、
前記映画フィルムは、
第１のディジタルオーディオ信号が記録された第１のディジタルサウンドトラックと、前記第１のディジタルオーディオ信号とはチャンネル数が異なる第２のディジタルオーディオ信号が記録された第２のディジタルサウンドトラックと、アナログオーディオ信号が記録されたアナログサウンドトラックとを有し、
前記信号処理方法は、
前記映画フィルムから再生される前記第１のディジタルオーディオ信号、前記第２のディジタルオーディオ信号、前記アナログオーディオ信号について、優先順位の設定を受け付け、
前記優先順位に従って前記複数のオーディオ信号より１系統のオーディオ信号を選択し、選択したオーディオ信号をアンプに出力してスピーカを駆動すると共に、前記ディジタルオーディオ信号のエラーの通知に応動して、前記優先順位に従って該選択出力を切り換える
信号処理方法。
【発明の詳細な説明】
【０００１】
【発明の属する技術分野】
本発明は、信号処理装置及び信号処理方法に関し、例えば映画館の上映システムに適用することができる。本発明は、事前に優先順位の設定を受け付け、エラーが発生すると、この優先順位に従って系統を切り換えて出力することにより、システムに柔軟に対応して１系統のオーディオ信号の出力が困難になった場合に、他の方式による系統による出力に動作を切り換えることができるようにする。
【０００２】
【従来の技術】
従来、映像及び音声の記録媒体である映画フィルムにおいては、古くから使用されているアナログ信号によるサウンドトラック（以下、アナログサウンドトラックと呼ぶ）に加えて、ディジタル信号によるサウンドトラック（以下、ディジタルサウンドトラックと呼ぶ）が形成されるようになされ、これにより古くからの上映システムでも映画を上映でき、またディジタルサウンドトラックを再生可能な上映システムでは、高品位な音声により映画を上映できるようになされている。
【０００３】
このようなディジタルサウンドトラックを再生可能な上映システムでは、アナログサウンドトラックも再生できるようにシステムが構成され、ディジタルサウンドトラックを再生することが困難になると、アナログサウンドトラックにより映画を上映するようになされ、これによりこのような２系統のサウンドトラックによる複数系統で音声信号が記録されてなる記録媒体の特徴を有効に利用して、上映中に音声信号が途絶える事故を防止するようになされている。
【０００４】
すなわち図７は、このような上映システムにおける音声信号の処理系統の一部を示すブロック図である。この処理系統において、アナログサウンドトラック再生装置２は、映画フィルム３に形成されたアナログサウンドトラックより音声信号ＳＡを再生して出力する。ディジタルサウンドトラック再生装置４は、映画フィルム３に形成されたディジタルサウンドトラックよりディジタルオーディオ信号を再生し、このディジタルオーディオ信号をアナログ信号に変換して音声信号ＳＤを出力する。このときディジタルサウンドトラック再生装置４は、誤り訂正処理してディジタルオーディオ信号を再生し、誤り訂正困難なエラーが発生すると、エラーステータス信号ＳＥの信号レベルを立ち上げて、後段の処理装置にエラーの発生を通知する。
【０００５】
選択回路５は、リレーにより構成され、ディジタルサウンドトラック再生装置４から出力される音声信号ＳＤを後段のアンプに出力し、これによりこの処理系統では、映画フィルム３の音声を観客に提供できるようになされている。このような処理において、選択回路５は、エラーステータス信号ＳＥが立ち上がると、ディジタルサウンドトラック再生装置４から出力される音声信号ＳＤに代えて、アナログサウンドトラック再生装置２から出力される音声信号ＳＡを後段のアンプに出力し、これによりディジタルサウンドトラックで音声の再生が困難になった場合には、アナログサウンドトラックによる音声をユーザーに提供するようになされている。
【０００６】
このようにしてディジタル信号により音声信号を映画フィルムに記録するディジタルサウンドトラックにおいては、記録する箇所、フォーマット等の異なる複数種類の方式が利用に供されるようになされている。このため多数の映画館に配給される映画フィルムにおいては、これら各種の方式に対応できるように、これら複数種類のディジタルサウンドトラックが形成されるようになされ、これにより各上映館の上映システムにおいて、このような複数種類のディジタルサウンドトラックよりシステムに適合したディジタルサウンドトラックを選択的に再生してディジタル信号による音声信号を再生できるようになされている。
【０００７】
【発明が解決しようとする課題】
ところでこのように従来のディジタルサウンドトラックを再生可能な上映システムにおいては、図７について上述したように、ディジタルサウンドトラックを再生することが困難になると、一意的に、アナログサウンドトラックによる再生に動作を切り換えることになる。しかしながら殆どの映画フィルムは、上述したように、複数種類のディジタルサウンドトラックが形成されている。
【０００８】
これらによりディジタルサウンドトラックを再生することが困難になった場合に、アナログサウンドトラックを再生する一意的な処理に代えて、他の方式によるディジタルサウンドトラックの再生等に動作を切り換えることができれば、アナログサウンドトラックの再生による音質の劣化を少なくすることができると考えられる。しかしながら各映画館においては、ディジタルサウンドトラックを再生するシステムが種々に異なり、これによりこのようにディジタルサウンドトラックを再生することが困難になった場合に、他の方式によるディジタルサウンドトラックの再生等に動作を切り換える場合であっても、映画館のシステムに柔軟に対応することが求められる
【０００９】
本発明は以上の点を考慮してなされたもので、システムに柔軟に対応して１系統のオーディオ信号の出力が困難になった場合に、他の系統による出力に動作を切り換えることができる信号処理装置及び信号処理方法を提案しようとするものである。
【００１０】
【課題を解決するための手段】
かかる課題を解決するため請求項１の発明においては、映画フィルムから再生されるオーディオ信号を処理する信号処理装置に適用して、前記映画フィルムは、第１のディジタルオーディオ信号が記録された第１のディジタルサウンドトラックと、前記第１のディジタルオーディオ信号とはチャンネル数が異なる第２のディジタルオーディオ信号が記録された第２のディジタルサウンドトラックと、アナログオーディオ信号が記録されたアナログサウンドトラックとを有し、前記信号処理装置は、前記映画フィルムから再生される前記第１のディジタルオーディオ信号、前記第２のディジタルオーディオ信号、前記アナログオーディオ信号について、優先順位の設定を受け付ける優先順位設定手段と、前記優先順位に従って、前記複数のオーディオ信号より１系統のオーディオ信号を選択して出力する選択手段とを有し、前記選択手段で選択されたオーディオ信号をアンプに出力してスピーカを駆動し、前記選択手段は、前記ディジタルオーディオ信号のエラーの通知に応動して、前記優先順位に従って、前記オーディオ信号の選択を切り換える。
また請求項５の発明は、映画フィルムから再生されるオーディオ信号を処理する信号処理方法に適用して、前記映画フィルムは、第１のディジタルオーディオ信号が記録された第１のディジタルサウンドトラックと、前記第１のディジタルオーディオ信号とはチャンネル数が異なる第２のディジタルオーディオ信号が記録された第２のディジタルサウンドトラックと、アナログオーディオ信号が記録されたアナログサウンドトラックとを有し、前記信号処理方法は、前記映画フィルムから再生される前記第１のディジタルオーディオ信号、前記第２のディジタルオーディオ信号、前記アナログオーディオ信号について、優先順位の設定を受け付け、前記優先順位に従って前記複数のオーディオ信号より１系統のオーディオ信号を選択し、選択したオーディオ信号をアンプに出力してスピーカを駆動すると共に、前記ディジタルオーディオ信号のエラーの通知に応動して、前記優先順位に従って該選択出力を切り換える。
【００１１】
請求項１、又は請求項５の構成によれば、優先順位の設定によりシステムに柔軟に対応して１系統のオーディオ信号の出力が困難になった場合に、他の方式の系統による出力に動作を切り換えることができる。
【００１２】
【発明の実施の形態】
以下、適宜図面を参照しながら本発明の実施の形態を詳述する。
【００１３】
（１）実施の形態の構成
図２は、本発明の実施の形態に係る上映システムを示すブロック図である。この上映システム１１は、映写機１２Ａ及び１２Ｂにより映画フィルムの映像をスクリーンに投影し、スピーカ１３より音声を出力する。
【００１４】
ここで映画フィルム１４は、図３に示すように、矩形形状の孔の連続によるパーフォレーション１５Ｌ及び１５Ｒが形成され、中央に各コマ１６が記録される。さらに映画フィルム１４は、パーフォレーション１５Ｌ及び１５Ｒの外側にアナログサウンドトラック１７Ｒ及び１７Ｌが形成される。映画フィルム１４は、このアナログサウンドトラック１７Ｒ及び１７Ｌに、モノラルによる音声信号、ステレオによる音声信号又は所定の信号処理による３チャンネル以上の音声信号が記録される。またこのような音声信号においては、必要に応じて所定のノイズリダクションシステムのフォーマットに適用するように信号処理されて記録される。
【００１５】
さらに映画フィルム１４は、パーフォレーション１５Ｌとコマ１６の間、パーフォレーション１５Ｒとコマ１６との間に、第１のフォーマットによるディジタルサウンドトラック１８Ｌ及び１８Ｒが形成される。ここでこの第１のフォーマットによるディジタルサウンドトラック１８Ｌ及び１８Ｒは、それぞれ４チャンネルのディジタルオーディオ信号が割り当てられ、この４チャンネルのディジタルオーディオ信号と、他方のサウンドトラックに割り当てられた４チャンネルのディジタルオーディオ信号のデータ圧縮してなるディジタルオーディオ信号とがそれぞれ記録される。これによりこの第１のフォーマットによるサウンドトラックにおいては、何らかのサウンドトラックが再生困難となった場合でも、他方のサウンドトラックにより補うことができるようになされている。
【００１６】
またこの第１のフォーマットによるディジタルサウンドトラック１８Ｌ及び１８Ｒは、長手方向に、このように他方のサウンドトラックに割り当てられた４チャンネルのディジタルオーディオ信号のデータ圧縮してなるディジタルオーディオ信号が所定時間分だけシフトしたタイミングにより記録され、これにより２つのサウンドトラックで同時にエラーが発生した場合でも、このようにシフトしたタイミングにより記録されディジタルオーディオ信号により補うことができるようになされている。なお、この第１のディジタルサウンドトラック１８Ｌ及び１８Ｒの再生において、このような他のサウンドトラックにより再生結果を補う処理と、各ディジタルオーディオ信号についての誤り訂正処理とを纏めて、ディジタル信号におけるエラー処理と呼ぶ。
【００１７】
さらに映画フィルム１４は、パーフォレーション１５Ｌ及び１５Ｒの間に、第２のディジタルサウンドトラック１９Ｒ及び１９Ｌが形成される。ここでこの第２のディジタルサウンドトラック１９Ｒ及び１９Ｌは、５．１チャンネルのディジタルオーディオ信号が記録されるようになされている。
【００１８】
また映画フィルム１４は、第１のディジタルサウンドトラック１８Ｌとコマ１６との間に、タイムコードトラック２０が形成され、このタイムコードトラックに記録されたタイムコードを基準にして、光ディスク等の記録媒体により供給されるディジタルオーディオ信号を再生してディジタルオーディオ信号による音声信号を再生できるようになされている。
【００１９】
映写機１２Ａ及び１２Ｂは、所定の切り換え信号により動作を切り換えて、このような映画フィルム１４をそれぞれ映写する。映写機１２Ａ及び１２Ｂは、アナログサウンドトラック１７Ｌ及び１７Ｒより再生信号Ｓ１Ａ及びＳ１Ｂを検出するピックアップユニットが配置され、また第１及び第２のディジタルサウンドトラック１８Ｌ、１８Ｒ及び１９Ｌ及び１９Ｒよりそれぞれ再生信号Ｓ２Ａ、Ｓ２Ｂ及びＳ３Ａ、Ｓ３Ｂを検出するピックアップユニットが交換可能に配置される。これによりこの上映システム１１では、必要に応じて、このピックアップ及び後段のディジタルサウンドトラックの処理系の増設、交換等により、ディジタルオーディオ信号の処理系を種々に構成し、さらには変更できるようになされ、またこれに伴って観客に提供するディジタルオーディオ信号による音声信号を、第１及び第２のディジタルサウンドトラックより得られる音声信号、タイムコードトラックを基準にした音声信号より自由に選択して提供できるようになされている。
【００２０】
ディジタルサウンドトラック再生装置２１は、映写機１２Ａ及び１２Ｂの動作の切り換えに連動して動作を切り換え、これら映写機１２Ａ及び１２Ｂから得られる第２のディジタルサウンドトラック１９Ｌ、１９Ｒの再生信号Ｓ２Ａ及びＳ２Ｂを選択的に信号処理し、このサウンドトラック１９Ｌ及び１９Ｒに記録されたディジタルオーディオ信号ＳＤ１を出力する。この処理においてディジタルサウンドトラック再生装置２１は、エラー訂正処理によってはディジタルオーディオ信号ＳＤ１のエラーを訂正困難な場合、エラーステータス信号ＳＥ１の信号レベルを立ち上げる。
【００２１】
アナログサウンドトラック再生装置２３は、映写機１２Ａ及び１２Ｂの動作の切り換えに連動して動作を切り換え、これら映写機１２Ａ及び１２Ｂから得られるアナログサウンドトラック１７Ｌ、１７Ｒの再生信号Ｓ１Ａ及びＳ１Ｂを選択的に信号処理し、このサウンドトラック１７Ｌ及び１７Ｒに記録されたオーディオ信号ＳＡ１をアナログ信号により出力する。
【００２２】
ディジタルサウンドトラック再生装置２２は、ディジタルサウンドトラック再生部２５において、映写機１２Ａ及び１２Ｂの動作の切り換えに連動して動作を切り換え、これら映写機１２Ａ及び１２Ｂから得られる第１のディジタルサウンドトラック１８Ｌ、１８Ｒの再生信号Ｓ３Ａ及びＳ３Ｂを選択的に信号処理し、このサウンドトラック１８Ｌ及び１８Ｒに記録されたディジタルオーディオ信号ＳＤ２を再生する。この処理においてディジタルサウンドトラック再生部２５は、上述したディジタル信号におけるエラー処理によってはディジタルオーディオ信号ＳＤ２のエラーを訂正困難な場合、エラーステータス信号ＳＥ２の信号レベルを立ち上げる。
【００２３】
ミキシング部２６は、エラーステータス信号ＳＥ１、ＳＥ２に応じて、ディジタルオーディオ信号ＳＤ１、ＳＤ２、オーディオ信号ＳＡ１を選択的に出力する。
【００２４】
アンプ２７は、ディジタルサウンドトラック再生装置２２のミキシング部２６より出力されるオーディオ信号ＳＤＡを増幅してスピーカ１３を駆動する。
【００２５】
図４は、映写機１２Ａの構成を示すブロック図である。なお映写機１２Ｂは、映写機１２Ａと同一の構成であることにより、重複した説明は省略する。この映写機１２Ａは、映写ユニット３０に対して、アナログサウンドトラックのユニット３１、ディジタルサウンドトラックのユニット３２及び３３を配置して構成され、上映に供する映画フィルム１４が供給リール３４に巻き取られた状態で上部に配置される。また下部には、巻き取りリール３５が配置され、ディジタルサウンドトラックのユニット３３及び３２、映写ユニット３０、アナログサウンドトラックのユニット３１を順次介して供給リール３４より引き出された映画フィルム１４がこの巻き取りリール３５に巻き取られるようになされている。
【００２６】
ここで映写ユニット３０は、ガイドローラ３８、スプロケット３９等の送り機構により映画フィルム１４をコマ送りしながら、光源３６から出射される照明光により映画フィルム１４を照明し、その透過光をレンズ３７によりスクリーンに投影する。これにより映写機１２Ａでは、映画フィルム１４の映像を投影するようになされている。
【００２７】
アナログサウンドトラックのユニット３１は、この映写ユニット３０より排出される映画フィルム１４をガイドローラ４０、スプロケット４１等の送り機構により一定速度で搬送しながら、所定の光源よりアナログサウンドトラック１７Ｒ、１７Ｌを照明し、受光素子４２により透過光を受光する。アナログサウンドトラックのユニット３１は、この受光素子４２による受光結果を再生信号Ｓ１Ａとして出力する。
【００２８】
ディジタルサウンドトラックのユニット３３は、供給リール３４より供給される映画フィルム１４をガイドローラ４４、スプロケット４５等の送り機構により搬送しながら、所定の光源より第２のディジタルサウンドトラック１９Ｒ、１９Ｌを照明し、受光素子４６により透過光を受光する。ディジタルサウンドトラックのユニット３３は、この受光素子４６による受光結果を再生信号Ｓ３Ａとして出力する。
【００２９】
ディジタルサウンドトラックのユニット３２は、ディジタルサウンドトラックのユニット３３より供給される映画フィルム１４をガイドローラ４７、スプロケット４８等の送り機構により搬送しながら、所定の光源より第１のディジタルサウンドトラック１８Ｒ、１８Ｌを照明し、受光素子４９により透過光を受光する。ディジタルサウンドトラックのユニット３２は、この受光素子４９による受光結果を再生信号Ｓ２Ａとして出力する。
【００３０】
図１は、ディジタルサウンドトラック再生装置２２の構成を示すブロック図である。このディジタルサウンドトラック再生装置２２において、ディジタルサウンドトラック再生部２５は、増幅回路等の信号処理回路を介して選択回路５０に再生信号Ｓ３Ａ及びＡ３Ｂを入力する。ここで選択回路５０は、映写機１２Ａ及び１２Ｂの切り換え動作に連動して接点を切り換え、これにより現在上映中の映写機１２Ａ又は１２Ｂより得られる再生信号Ｓ３Ａ又はＳ３Ｂを選択的にデコーダ５１に出力する。
【００３１】
デコーダ５１は、選択回路５０より入力される再生信号を信号処理することにより、第１のディジタルサウンドトラック１８Ｌ及び１８Ｒにそれぞれ記録された８チャンネル、２系統のディジタルオーディオ信号を再生する。
【００３２】
エラー処理回路５２は、これらディジタルオーディオ信号について、上述したディジタル信号におけるエラー処理を実行し、その処理結果である８チャンネルのディジタルオーディオ信号ＳＤ２を出力する。またエラー処理回路５２は、このようなディジタル信号におけるエラー処理によっても、エラー訂正困難な場合には、エラーステータス信号ＳＥ２を出力する。
【００３３】
ミキシング部２６は、このディジタルサウンドトラック再生部２５より得られるディジタルオーディオ信号ＳＤ２、ディジタルサウンドトラック再生装置２１より得られるディジタルオーディオＳＤ１、アナログサウンドトラック再生装置２３より得られるアナログ信号によるオーディオ信号ＳＡ１をディジタルミクサ５３に入力し、コントローラ５４によるディジタルミクサ５３の制御により、これらのオーディオ信号ＳＤ１、ＳＤ２、ＳＡ１を選択的に出力する。
【００３４】
ここでこのディジタルサウンドトラック再生装置２２は、ディジタルサウンドトラック再生部２５より出力されるディジタルオーディオ信号ＳＤ２をメインの入力信号として入力する。これに対してディジタルオーディオＳＤ１、オーディオ信号ＳＡ１については、外部入力端子より入力する。ディジタルサウンドトラック再生装置２２は、このように外部よりオーディオ信号を入力する外部入力端子が３系統用意され、各系統にそれぞれＡＵＸ１入力、ＡＵＸ２入力、アナログ入力の設定を割り振ることができるようになされている。これによりこの実施の形態では、それぞれディジタルオーディオ信号ＳＤ１がＡＵＸ１入力により、アナログ信号によるオーディオ信号ＳＡ１がアナログ入力により入力されるようになされている。
【００３５】
コントローラ５４は、ミキシング部２６の動作を制御する制御回路であり、８ビットのプリセットスイッチ５５の設定により、このような複数系統によるオーディオ信号の入力について、事前に、図５に示すように、優先順次の設定を受け付け、エラーステータス信号ＳＥ１、ＳＥ２と、この優先順次とに従って、ディジタルミクサ５３の動作を制御する。
【００３６】
ここで図５に示す優先順位の設定は、プリセットスイッチ５５の各設定に対応して優先順位を示すものであり、最も優先順位の高い信号が選択信号であり、順次、＃１コンシールメント、＃２コンシールメント、＃３コンシールメントの順に、優先順位の低下を示すものである。従って第１行に記載の設定では、ディジタルサウンドトラック再生部２５で再生されたディジタルオーディオ信号ＳＤ２が最も高い優先順位に設定され、続いてＡＵＸ１入力であるディジタルオーディオＳＤ１、無入力であるＡＵＸ２、アナログ入力であるオーディオ信号ＳＡ１の順序で優先順位が設定されている場合の優先順位である。なおアナログ信号入力が＃１コンシールメント又は＃２コンシールメントに設定された場合、コントローラ５４は、アナログ信号によるオーディオ信号については、エラーの有無を判定できないことにより、これらの設定より優先順位の低いコンシールメントに優先順位を設定できないようになされている。
【００３７】
コントローラ５４は、この優先順位の設定に従って図６に示す処理手順の実行によりディジタルオーディオ信号ＳＤ１、ＳＤ２、オーディオ信号ＳＡ１をディジタルミクサ５３より選択出力する。
【００３８】
すなわちコントローラ５４は、動作を開始すると、ステップＳＰ１からステップＳＰ２に移り、ここで最も優先順位の高い選択信号について、エラーステータス信号が立ち上がっているか否か判断することにより、この選択信号が正しく再生されているか否か判断する。ここで肯定結果が得られると、コントローラ５４は、ステップＳＰ３に移り、選択信号を選択出力するように、ディジタルミクサ５３の動作を設定した後、ステップＳＰ２に戻る。これによりコントローラ５４は、この選択信号にＭＡＩＮ入力であるディジタルオーディオ信号ＳＤ２が設定されている場合には、エラーステータス信号ＳＥ２が立ち上がらない限り、このディジタルオーディオ信号ＳＤ２の選択出力をディジタルミクサ５３に指示する。
【００３９】
これに対してステップＳＰ２において否定結果が得られると、コントローラ５４は、ステップＳＰ４に移る。ここでコントローラ５４は、続いて優先順位の高い＃１コンシールメントに設定されたオーディオ信号について、エラーステータス信号が立ち上がっているか否か判断することにより、この＃１コンシールメントのオーディオ信号が正しく再生されているか否か判断する。ここで肯定結果が得られると、コントローラ５４は、ステップＳＰ５に移り、＃１コンシールメントに設定されたオーディオ信号を選択出力するように、ディジタルミクサ５３の動作を設定した後、ステップＳＰ２に戻る。これによりコントローラ５４は、選択信号にＭＡＩＮ入力であるディジタルオーディオ信号ＳＤ２が設定され、かつ＃１コンシールメントにディジタルサウンドトラック再生装置２１によるディジタルオーディオ信号ＳＤ１が設定されている場合であって、ディジタルオーディオ信号ＳＤ２のエラーステータス信号ＳＥ２が立ち上り、ディジタルオーディオ信号ＳＤ１を正しく再生できている場合には、選択信号に続く優先順位であるディジタルオーディオ信号ＳＤ１の選択出力をディジタルミクサ５３に指示する。
【００４０】
なおコントローラ５４は、この＃１コンシールメントに関する判定において、＃１コンシールメントにアナログ入力が選択されている場合、このステップＳＰ４における判定を省略して、ステップＳＰ５に移り、アナログ入力によるオーディオ信号の選択出力をディジタルミクサ５３に指示する。
【００４１】
これに対してステップＳＰ４において否定結果が得られると、コントローラ５４は、ステップＳＰ６に移る。ここでコントローラ５４は、続いて優先順位の高い＃２コンシールメントに設定されたオーディオ信号について、エラーステータス信号が立ち上がっているか否か判断することにより、この＃２コンシールメントのオーディオ信号が正しく再生されているか否か判断する。ここで肯定結果が得られると、コントローラ５４は、ステップＳＰ７に移り、＃２コンシールメントに設定されたオーディオ信号を選択出力するように、ディジタルミクサ５３の動作を設定した後、ステップＳＰ２に戻る。これによりコントローラ５４は、優先順位の高い２系統のディジタルオーディオ信号を正しく再生できない場合であって、続く優先順位のディジタルオーディオ信号を正しく再生できる場合には、この続く優先順位であるディジタルオーディオ信号の選択出力をディジタルミクサ５３に指示する。
【００４２】
なおコントローラ５４は、この＃２コンシールメントに関する判定においても、＃２コンシールメントにアナログ入力が選択されている場合には、このステップＳＰ６における判定を省略して、ステップＳＰ７に移り、アナログ入力によるオーディオ信号の選択出力をディジタルミクサ５３に指示する。
【００４３】
これに対してステップＳＰ６において否定結果が得られると、コントローラ５４は、ステップＳＰ８に移る。ここでコントローラ５４は、最も優先順位の低い＃３コンシールメントに設定されたオーディオ信号を選択出力するように、ディジタルミクサ５３の動作を設定した後、ステップＳＰ２に戻る。これによりコントローラ５４は、優先順位の高い３系統のディジタルオーディオ信号を正しく再生できない場合には、最も優先順位の低いオーディオ信号の選択出力をディジタルミクサ５３に指示するようになされている。
【００４４】
これらの処理によりコントローラ５４は、オペレータが設定した優先順次に従って、優先順位の高いオーディオ信号を正しく再生できない場合には、優先順位の低いオーディオ信号を選択出力するようになされている。
【００４５】
このような切り換え処理において、コントローラ５４は、一旦、優先順位の低い側にディジタルミクサの動作を切り換えると、タイマによる時間計測により、優先順位の高い側のディジタルオーディオ信号について、エラーステータス信号が所定時間以上立ち下がる場合に限り、この優先順位の高い側のディジタルオーディオ信号の選択出力をディジタルミクサ５３に指示する。これによりミキシング部２６では、頻繁なディジタルオーディオ信号の切り換えを防止し、このような頻繁な切り換えによる観客の不快感を防止するようになされている。
【００４６】
コントローラ５４は、このようにしてディジタルミクサ５３の選択出力を切り換えるにつき、所定の遷移時間において滑らかな信号レベルの変化により再生系を切り換えるように、ディジタルミクサ５３における各系統の利得を制御する。具体的に、この実施の形態において、コントローラ５４は、このような切り換えをクロスフェードにより実行するように指示する。これによりこの実施の形態では、再生系の切り換えによるノイズの発生を防止するようになされている。
【００４７】
かくするにつきミキシング部２６において、アナログディジタル変換回路（Ａ／Ｄ）５６は、ディジタルオーディオ信号ＳＤ２に対応するサンプリングのタイミングによりアナログ信号によるオーディオ信号ＳＡ１をサンプリングしてディジタルオーディオ信号により出力する。
【００４８】
ディジタルミクサ５３は、コントローラ５４の制御により、ディジタルオーディオ信号ＳＤ１、ＳＤ２、アナログディジタル変換回路５６より出力されるディジタルオーディオ信号、さらにはＡＵＸ２入力によるディジタルオーディオ信号を選択的に出力する。また選択出力の切り換え時においては、クロスフェードによりディジタルオーディオ信号を出力する。
【００４９】
ディジタルアナログ変換回路（Ｄ／Ａ）５８は、このようにして得られるディジタルオーディオ信号をアナログ信号に変換し、後段のアンプ２７に出力する。
【００５０】
（２）実施の形態の動作
以上の構成において、上映システム１１は（図２及び図４）、上映に係る映画フィルム１４を巻き取った供給リール３４が映写機１２Ａ及び１２Ｂに配置され、この供給リール３４から映画フィルム１４が引き出されてして所定の経路を介して巻き取りリール３５に巻き付けられる。また上映システム１１は（図１）、ディジタルサウンドトラック再生装置２２において、プリセットスイッチ５５の設定により、映画フィルム１４より得られる複数系統のオーディオ信号についての優先順位の設定が受け付けられ（図５）、これらにより上映の準備が完了する。
【００５１】
上映システム１１は、このようにして準備が完了してオペレータにより映写の開始が指示されると、映写機１２Ａ又は１２Ｂにおいて、映画フィルム１４が走行を開始し、映写ユニット３０において、映画フィルム１４のコマ送りに同期した光源３６からの照明により、レンズ３７を介してスクリーンに映画フィルム１４の映像が表示される。またこのようにして上映を開始した側で映画フィルム１４の残りが少なくなると、オペレータによる動作の切り換え操作により、他方の映写機１２Ｂ又は１２Ａで同様にして映画フィルム１４の上映が開始されるのに対し、この上映の開始と連動して映写機１２Ａ又は１２Ｂ側で映画フィルム１４の上映が中止される。上映システム１１では、これのような動作の繰り返しにより複数本の映画フィルム１４による映画が上映される。
【００５２】
このようにして映画フィルム１４を走行させて上映するにつき、上映システム１１では、映写ユニット３０の排出側に配置されたアナログサウンドトラックのユニット３１において、所定の光源より映画フィルム１４のアナログサウンドトラック１７Ｌ及び１７Ｒが照明され（図３）、その透過光が受光素子４３により受光される。上映システム１１では、映写機１２Ａにおけるこの受光結果がアナログサウンドトラック１７Ｌ及び１７Ｒの再生信号Ｓ１Ａとして、また映写機１２Ｂにおけるこの受光結果がアナログサウンドトラック１７Ｌ及び１７Ｒの再生信号Ｓ１Ａとして、アナログサウンドトラック再生装置２３に入力される（図１）。上映システム１１では、この再生信号Ｓ１Ａ及びＳ１Ｂが映写機１２Ａ及び１２Ｂにおける動作の切り換えに連動して選択的に処理され、これによりアナログサウンドトラック１７Ｌ及び１７Ｒより再生してなるアナログ信号によるオーディオ信号ＳＡ１が再生される。
【００５３】
また上映システム１１では、映写ユニット３０の供給側に配置されたディジタルサウンドトラックのユニット３２において、所定の光源より映画フィルム１４の第２のディジタルサウンドトラック１９Ｌ及び１９Ｒが照明され（図３）、その透過光が受光素子４９により受光される。上映システム１１では、映写機１２Ａにおけるこの受光結果がディジタルサウンドトラック１９Ｌ及び１９Ｒの再生信号Ｓ２Ａとして、また映写機１２Ｂにおけるこの受光結果がディジタルサウンドトラック１９Ｌ及び１９Ｒの再生信号Ｓ２Ａとして、ディジタルサウンドトラック再生装置２１に入力される。上映システム１１では、この再生信号Ｓ２Ａ及びＳ２Ｂが映写機１２Ａ及び１２Ｂにおける動作の切り換えに連動して選択的に処理され、これによりディジタルサウンドトラック１９Ｌ及び１９Ｒより再生してなるディジタルオーディオ信号ＳＤ１が再生される。またこの再生において、誤り訂正困難なエラーが発生すると、エラーステータス信号ＳＥ１の信号レベルが立ち上げられてディジタルサウンドトラック再生装置２２にエラーの発生が通知される。
【００５４】
また上映システム１１では、同様に、映写ユニット３０の供給側に配置されたディジタルサウンドトラックのユニット３３において、所定の光源より映画フィルム１４の第１のディジタルサウンドトラック１８Ｌ及び１８Ｒが照明され（図３）、その透過光が受光素子４６により受光される。上映システム１１では、映写機１２Ａにおけるこの受光結果がディジタルサウンドトラック１８Ｌ及び１８Ｒの再生信号Ｓ３Ａとして、また映写機１２Ｂにおけるこの受光結果がアナログサウンドトラック１７Ｌ及び１７Ｒの再生信号Ｓ３Ａとして、ディジタルサウンドトラック再生装置２２に入力される。
【００５５】
上映システム１１では（図１）、選択回路５０を介してこの再生信号Ｓ３Ａ及びＳ３Ｂが映写機１２Ａ及び１２Ｂにおける動作の切り換えに連動して選択的にデコーダ５１に入力され、ここでデコードされて８チャンネル２系統のディジタルオーディオ信号が再生される。さらに続くエラー処理回路５２において、エラー訂正処理され、さらにはエラー訂正困難な場合には、他方のディジタルサウンドトラック１８Ｌ又は１８Ｒより再生されたディジタルオーディオ信号により補われ、これによりディジタル信号におけるエラー処理によりこのようにして再生されたディジタルオーディオ信号ＳＤ２のエラーが補われてディジタルミクサ５３に出力される。またこのようなディジタル信号におけるエラー処理によっても補間困難なエラーの発生がエラーステータス信号ＳＥ２としてコントローラ５４に通知される。
【００５６】
上映システム１１では、最も高い優先順位に設定されたディジタルオーディオ信号ＳＤ１又はＳＤ２がディジタルミクサ５３より選択出力され（図６）、ディジタルアナログ変換回路５８によりアナログ信号に変換されてアンプ２７に出力され、このアンプ２７によりスピーカ１３が駆動される。これにより上映システム１１では、映画フィルム１４の音声が観客に提供される。
【００５７】
上映システム１１では、このようにして最も優先順位の高いディジタルオーディオ信号により音声を提供しながら、これらディジタルオーディオ信号ＳＤ１及びＳＤ２のエラーステータス信号ＳＥ１及びＳＥ２によるエラーの通知により、このディジタルオーディオ信号にエラーが発生すると、ディジタルミクサ５３による選択出力が続いて優先順位の高いディジタルオーディオ信号に切り換えられる。またこの続いて優先順位の高いディジタルオーディオ信号を出力している状態でこのディジタルオーディオ信号でエラーが発生した場合には、さらに優先順位の低いオーディオ信号にディジタルミクサ５３の選択出力が切り換えられる。また優先順位の高い側のディジタルオーディオ信号でエラーが回避されると、優先順位の高い側にディジタルミクサ５３の選択出力が切り換えられる。
【００５８】
これらにより上映システム１１では、事前の設定に従って順次優先順位の高い順にオーディオ信号が切り換えられて観客に提供される。従ってこの上映システム１１によれば、この事前の設定によりシステムに柔軟に対応して１系統のオーディオ信号の出力が困難になった場合に、他の方式による出力に動作を切り換えることができる。
【００５９】
すなわち従来のように（図７）、１系統のディジタルオーディオ信号とアナログ信号によるオーディオ信号との切り換えによる場合には、アナログ信号によるオーディオ信号に出力を切り換えた場合に、著しく音質が劣化し、違和感が発生する。従って２系統のディジタルオーディオ信号をアナログ信号によるオーディオ信号に比して高い優先順位に設定して、この２系統のディジタルオーディオ信号とアナログ信号によるオーディオ信号とを切り換えるようにして、このような音質の劣化を少なくすることができる。
【００６０】
またこのような２系統のディジタルオーディオ信号とアナログ信号によるオーディオ信号とを切り換える場合に、この２系統のディジタルオーディオ信号についても優先順位に従って切り換えることにより、映画館の音響特性、観客の嗜好、映画館主の嗜好、配給会社からの指定等に応じて、何れかのディジタルオーディオ信号を優先的に観客に提供することができる。
【００６１】
このようにしてオーディオ信号を切り換えて出力するにつき、上映システム１１では、優先順位の高い側のディジタルオーディオ信号でエラーが回避された場合でも、即座に優先順位の高い側のディジタルオーディオ信号に出力を切り換えることなく、この優先順位の高い側のディジタルオーディオ信号で所定時間以上、エラーが発生しない場合に、出力が切り換えられる。これにより上映システム１１では、頻繁なオーディオ信号の切り換えが回避され、この頻繁な切り換えによる観客の不快感を防止することができる。
【００６２】
さらに優先順位の低い側に切り換える場合でも、優先順次の高い側に切り換える場合でも、所定の遷移時間における滑らかな信号レベルの変化による切り換えの１つであるクロスフェードによりオーディオ信号の選択を切り換えることにより、このようなオーディオ信号の切り換えによる不快感を防止することができる。
【００６３】
（３）実施の形態の効果
以上の構成によれば、事前に優先順位の設定を受け付け、優先順位が高い側でエラーが発生すると、この優先順位に従って系統を切り換えて出力することにより、システムに柔軟に対応して１系統のオーディオ信号の出力が困難になった場合に、他の方式による系統による出力に動作を切り換えることができる。
【００６４】
またこのような切り換えを所定の遷移時間における滑らかな信号レベルの変化により実行することにより、オーディオ信号の切り換えに伴う観客の不快感を防止することができる。
【００６５】
また優先順位の高い側のオーディオ信号において、所定時間以上エラーが検出されない場合に、この優先順次の高い側に出力を切り換えることにより、頻繁な切り換えによる観客の不快感を防止することができる。
【００６６】
（４）他の実施の形態
なお上述の実施の形態においては、クロスフェードによりオーディオ信号の出力を切り換える場合について述べたが、本発明はこれに限らず、例えばカット編集による映画フィルムでオーディオ信号を切り換える場合等にあっては、フェードイン、フェードアウトにより切り換えても良く、また実用上、十分にオーディオ信号の切り換えによる不快感を防止できている場合には、このような信号レベルを徐々に変化させる切り換えを省略してもよい。
【００６７】
また上述の実施の形態においては、プリセットスイッチによる優先順位の設定を受け付ける場合について述べたが、本発明はこれに限らず、コンピュータ等の指示により設定する場合等、種々の設定方法を広く適用することができる。
【００６８】
また上述の実施の形態においては、第１のディジタルサウンドトラックの再生装置にスイッチャーとしての機能を一体化する場合について述べたが、本発明はこれに限らず、これらの別体に構成してもよい。なお一体に構成する場合にあっては、既に他の方式によるディジタルサウンドトラックの再生装置が設置されているシステムに増設するだけで、システムを構成できる。これに対して別体に構成する場合には、必要に応じてスイッチャー側の構成だけ従来システムに増設して、システムを構成することができる。
【００７１】
【発明の効果】
上述のように本発明によれば、事前に優先順位の設定を受け付け、優先順位が高い側でエラーが発生すると、この優先順位に従って系統を切り換えて出力することにより、システムに柔軟に対応して１系統のオーディオ信号の出力が困難になった場合に、他の方式による系統による出力に動作を切り換えることができる。
【図面の簡単な説明】
【図１】本発明の実施の形態に係る上映システムのディジタルサウンドトラック再生装置を示すブロック図である。
【図２】本発明の実施の形態に係る上映システムを示すブロック図である。
【図３】図２の上映システムに適用される映画フィルムを示す平面図である。
【図４】図２の上映システムに適用される映写機を示す側面図である。
【図５】図２の上映システムにおける優先順位の説明に供する図表である。
【図６】図２の上映システムにおけるコントローラの処理手順を示すフローチャートである。
【図７】従来の上映システムにおけるオーディオ信号の切り換えの説明に供するブロック図である。
【符号の説明】
２、２３……アナログサウンドトラック再生装置、３、１４……映画フィルム、４、２１、２２……ディジタルサウンドトラック再生装置、５、５０……選択回路、１１……上映システム、１２Ａ、１２Ｂ……映写機、２５……ディジタルサウンドトラック再生部、２６……ミキシング部
【図１】
0004280958.tif 000002
【図２】
0004280958.tif 000003
【図３】
0004280958.tif 000004
【図４】
0004280958.tif 000005
【図５】
0004280958.tif 000006
【図６】
0004280958.tif 000007
【図７】
0004280958.tif 000008